(57)【特許請求の範囲】
【請求項１】
板材を折り曲げて形成し、少なくとも上面および側面を有する一対の枠部材と、前記一対の枠部材の対向する前記側面の各々に設けた複数の挿入孔と、前記一対の枠部材間に亘って前記各々の枠部材の長手方向と略直交する方向に所定間隔で配設され、径方向断面が略円形状の複数のパイプ部材と、前記パイプ部材の両端側には前記挿入孔から枠部材内へ挿入する挿入部を有し、前記挿入部を前記枠部材内へ挿入するとともに、前記開口部とこの開口部と対向する背面部側の方向に前記複数のパイプ部材の長手方向を延在させ、
前記パイプ部材は、前記枠部材間の前記パイプ部材の載置上端部よりも両端側の前記挿入部の挿入上端部を下方向に下げて所定の段差を設けて形成し、前記所定の段差を設けた挿入部を、前記挿入孔から前記枠部材内へ挿入して、前記一対の枠部材の上面と前記載置上端部を、略同一平面上に位置するようにした棚であって、
前記挿入部の挿入先端部の径方向の断面を蒲鉾形状として底面を形成し、
前記枠部材の長手方向に沿って延在し、前記挿入先端部の蒲鉾形状の底面を支持する前記枠部材内に設けた支持部材を有して、
前記挿入部を前記挿入孔から前記枠部材内へ挿入したとき、前記挿入部の挿入上端部を挿入孔に当接させることにより、前記パイプ部材の上方向への移動を規制し、前記挿入先端部の底面を前記枠部材内に設けた支持部材に当接させることにより、前記パイプ部材の下方への移動および径方向の回動を規制することを特徴とする棚。
【請求項２】
一対の枠部材間のパイプ部材の径と、前記パイプ部材の挿入部の挿入先端部を除く部分の径とは、略同一であることを特徴とする請求項１に記載の棚。
【請求項３】
複数のパイプ部材のうち少なくとも１本の両端側の挿入部と一対の枠部材との各々を固着することを特徴とする請求項１または２に記載の棚。
【請求項４】
挿入部と枠部材とを離れた位置の複数箇所で固着することを特徴とする請求項３に記載の棚。
【請求項５】
請求項１〜４のいずれか１項に記載の棚と、
物品を出し入れする開口部と、
閉じることにより、前記開口部を塞ぐように開閉自在に取り付けた扉と、
を備えたことを特徴とする物品保管庫。
【発明の詳細な説明】
【技術分野】
【０００１】
本発明は、例えば、学校、病院等の給食のように皿、お椀、トレイなどの食器類や食缶を比較的大量に使用する状況において、食器類を収容するカゴや食缶などの物品が出し入れ可能に載置される棚、および棚を備えた物品保管庫に関するものである。
【背景技術】
【０００２】
従来の食器類や食缶を収容する物品保管庫は、物品として例えば線材等により構成される食器カゴ（収納具）や汁物等を運搬するための食缶を物品保管庫内の棚に載置し、物品保管庫内に熱風又は蒸気を循環させることにより、食器類や食缶を乾燥、消毒して保管するものである。棚を備えた物品保管庫として下記のものが知られている。
【０００３】
一側壁にパイプ挿通孔とネジ挿通孔を有する一対の棚フレームと、その間に配設される複数のパイプ部材と、複数のパイプ部材のうち少なくとも１本の両端に切欠部を有するパイプ部材と、パイプ部材の切欠部と嵌合し各々の棚フレームのネジ挿通孔からネジにより締結固定される固定部材によって構成されているパイプ棚を備えた物品保管庫が知られている（例えば特許文献１参照）。
【０００４】
パイプ挿入孔を備える一対の長尺状枠部材と、これら一対の長尺状枠部材間に配設される複数のパイプ部材と、複数のパイプ部材の両側を長尺状枠部材へ挿入した際にパイプ部材を固定する固定部材と、によって構成されている。各々の長尺状枠部材は上面からパイプ部材が配設される側の側面まで、下方へ傾斜する傾斜面をもつというパイプ棚を備えた物品保管庫が知られている（例えば特許文献２参照）。
【先行技術文献】
【特許文献】
【０００５】
【特許文献１】特開２００５−２３７４００号公報
【特許文献２】実用新案登録第３１６７６７８号公報
【発明の概要】
【発明が解決しようとする課題】
【０００６】
しかしながら、前記特許文献１に記載されたものは、物品を摺動して出し入れする際にパイプ部材とフレームによって形成される段差で引っかかりができてしまうという課題があった。また、段差を乗り越える際に物品の底面が片側のみ持ち上がり、物品の角とパイプ部材もしくは物品の底とフレームの角が小さな面積で接触し、全重量がその小さな面積に集中した状態で物品を摺動させるため、物品の耐久性に課題があった。加えてパイプ部材を固定するための固定部材が必要であり、その固定部材はフレームへパイプ部材のネジによる締結固定を必要とし、組み立ての煩雑化とコストアップを招いていた。
【０００７】
また、前記特許文献２に記載されたものは、物品を摺動して出し入れする際にパイプ部材と長尺状枠部材にて構成される傾斜により、物品の底面とパイプ部材のなす角度が変移し、引き出すもしくは入れる際の力の方向が変動してしまうという課題があった。また特許文献１に記載されたものと同様に、傾斜を摺動する際に物品の底面が片側のみ持ち上がり、物品の角とパイプ部材もしくは物品の底と長尺状枠部材の角が小さな面積で接触し、全重量がその小さな面積に集中した状態で物品を摺動させるため、物品の耐久性に課題があった。加えてパイプ部材を固定するためには特許文献１と同様に固定部材が必要であり、その固定部材は長尺状枠部材へ、パイプ部材の溶接やネジによる締結固定を必要として組み立ての煩雑化とコストアップを招いていた。
【０００８】
本発明は前記従来の課題を解決するもので、物品保管庫に備えた棚への物品の出し入れを容易とするとともに、物品の耐久性を向上させることを目的とする。
【課題を解決するための手段】
【０００９】
本発明の棚は、
板材を折り曲げて形成し、少なくとも上面および側面を有する一対の枠部材と、前記一対の枠部材の対向する前記側面の各々に設けた複数の挿入孔と、前記一対の枠部材間に亘って前記各々の枠部材の長手方向と略直交する方向に所定間隔で配設され、径方向断面が略円形状の複数のパイプ部材と、前記パイプ部材の両端側には前記挿入孔から枠部材内へ挿入する挿入部を有し、前記挿入部を前記枠部材内へ挿入するとともに、前記開口部とこの開口部と対向する背面部側の方向に前記複数のパイプ部材の長手方向を延在させ、
前記パイプ部材は、前記枠部材間の前記パイプ部材の載置上端部よりも両端側の前記挿入部の挿入上端部を下方向に下げて所定の段差を設けて形成し、前記所定の段差を設けた挿入部を、前記挿入孔から前記枠部材内へ挿入して、前記一対の枠部材の上面と前記載置上端部を、略同一平面上に位置するようにした棚であって、
前記挿入部の挿入先端部の径方向の断面を蒲鉾形状として底面を形成し、
前記枠部材の長手方向に沿って延在し、前記挿入先端部の蒲鉾形状の底面を支持する前記枠部材内に設けた支持部材を有して、
前記挿入部を前記挿入孔から前記枠部材内へ挿入したとき、前記挿入部の挿入上端部を挿入孔に当接させることにより、前記パイプ部材の上方向への移動を規制し、前記挿入先端部の底面を前記枠部材内に設けた支持部材に当接させることにより、前記パイプ部材の下方への移動および径方向の回動を規制する
ことを特徴とするものである。
【発明の効果】
【００１０】
本発明の棚、および物品保管庫によれば、物品の出し入れを容易とするとともに、物品の耐久性を向上させることができる。
【図面の簡単な説明】
【００１１】
【図１】本発明の実施形態における物品保管庫の概観斜視図。
【図２】ブラケットの概観斜視図。
【図３】棚の概観斜視図。
【図４】（ａ）枠部材の概観斜視図、（ｂ）枠部材の側面図。
【図５】パイプ部材の側面図。
【図６】（ａ）図５のＡ−Ａ線における断面図、（ｂ）Ｂ−Ｂ線における断面図、（ｃ）Ｃ−Ｃ線における断面図。
【図７】組立治具の概観斜視図。
【図８】（ａ）組立治具の上面へ一対の枠部材を配置した状態を示す図、（ｂ）組立治具の上面で一対の枠部材へ複数のパイプ部材を挿入した状態を示す図、（ｃ）組立治具の上面へ配置された棚の挿入孔の部位における部分断面拡大図。
【図９】棚の側面部分断面拡大図。
【図１０】（ａ）図９の棚のＤ−Ｄ線における断面図、（ｂ）Ｅ−Ｅ線における断面図。
【図１１】物品保管庫への棚の取り付けの状態を示す概観斜視図。
【図１２】物品例としての食器の収容具の概観斜視図。
【図１３】（ａ）棚への収容具の載置開始時の状態を示す図、（ｂ）収容具を背面部の方向へ摺動させる状態を示す図、（ｃ）複数の収容具を奥まで摺動させて保管した状態を示す図、（ｄ）取り出し時の収容具の状態を示す図。
【発明を実施するための形態】
【００１２】
第１の発明は、板材を折り曲げて形成し、少なくとも上面および側面を有する一対の枠部材と、前記一対の枠部材の対向する前記側面の各々に設けた複数の挿入孔と、前記一対の枠部材間に亘って前記各々の枠部材の長手方向と略直交する方向に所定間隔で配設され、径方向断面が略円形状の複数のパイプ部材と、前記パイプ部材の両端側には前記挿入孔から枠部材内へ挿入する挿入部を有し、前記挿入部を前記枠部材内へ挿入するとともに、前記開口部とこの開口部と対向する背面部側の方向に前記複数のパイプ部材の長手方向を延在させ、
前記パイプ部材は、前記枠部材間の前記パイプ部材の載置上端部よりも両端側の前記挿入部の挿入上端部を下方向に下げて所定の段差を設けて形成し、前記所定の段差を設けた挿入部を、前記挿入孔から前記枠部材内へ挿入して、前記一対の枠部材の上面と前記載置上端部を、略同一平面上に位置するようにした棚であって、
前記挿入部の挿入先端部の径方向の断面を蒲鉾形状として底面を形成し、
前記枠部材の長手方向に沿って延在し、前記挿入先端部の蒲鉾形状の底面を支持する前記枠部材内に設けた支持部材を有して、
前記挿入部を前記挿入孔から前記枠部材内へ挿入したとき、前記挿入部の挿入上端部を挿入孔に当接させることにより、前記パイプ部材の上方向への移動を規制し、前記挿入先端部の底面を前記枠部材内に設けた支持部材に当接させることにより、前記パイプ部材の下方への移動および径方向の回動を規制することを特徴とする棚としたものである。
【００１３】
これにより、物品を載置する棚の全面が段差のない平面となり、一対の枠部材の上面と複数のパイプ部材の載置上端部に亘って物品をスムーズに摺動させることができる。したがって、物品の出し入れを容易とするとともに、物品の耐久性を向上させることができる。
また、これにより、パイプ部材の挿入部を挿入孔から枠部材内へ挿入するだけでパイプ部材の枠部材に対する上下方向の移動とパイプ部材の径方向の回動を規制することができる。したがって、物品を載置する全面が段差のない棚の組み立てを効率よく実施することができる。
【００１４】
第２の発明は、第１の発明において、一対の枠部材間のパイプ部材の径と、前記パイプ部材の挿入部の挿入先端部を除く部分の径とは、略同一であることを特徴とするものである。
【００１５】
これにより、枠部材間のパイプ部材の載置上端部よりも両端側の挿入部の挿入上端部を下方向に下げて所定の段差を設ける加工を金型プレス等により容易に行うことができるとともに、段差の仕上がり寸法を均一にすることができる。さらに、パイプ部材の長手方向の反り、変形を生じることがないので棚の組み立てを効率よく実施することができる。
【００１６】
第３の発明は、第１または第２の発明において、複数のパイプ部材のうち少なくとも１本の両端側の挿入部と一対の枠部材との各々を固着することを特徴とするものである。
【００１７】
これにより、複数のパイプ部材を一対の枠部材間に保持した状態の棚の完成品としてユニット化することができ、棚の生産、保管、および物品保管庫内への組み込みが容易となる。
【００１８】
第４の発明は、第３の発明において、挿入部と枠部材とを離れた位置の複数箇所で固着することを特徴とするものである。
【００１９】
これにより、枠部材自体の長手方向の捩れ、撓みを防止することができ、全体として棚の強度を向上させることができる。
【００２０】
第５の発明は、第１〜第４の発明に記載の棚と、
物品を出し入れする開口部と、
閉じることにより、前記開口部を塞ぐように開閉自在に取り付けた扉と、
を備えたことを特徴とする物品保管庫としたものである。
【００２１】
これにより、生産、保管、および組み込みが容易である棚を備えた物品保管庫とすることができる。
【００２２】
以下、本発明の一実施形態の物品保管庫１００を、食器類を収容する収容具を物品例として、図１〜１３を参照しながら説明する。
【００２３】
図１に示すように、物品保管庫１００は収容室１０１、収容室１０１内の壁面に側内壁面１０２、正面に開口部１０３、この開口部１０３には開閉自在の扉１０４を備えている。
【００２４】
収容室１０１の内部には、高さ方向に所定間隔を隔てて複数段に棚２００が配置されている。棚２００の複数のパイプ部材２２０の長手方向が開口部１０３から背面部１０５へ延在している。棚２００は収容室１０１の両側の側内壁面１０２に加工された複数のスリット１０６へブラケット１１０を掛けて取り付けて棚２００を載置しネジにて固定する。
【００２５】
棚２００の上面に収容具４００が載置され、奥行き方向（開口部１０３から背面部１０５へ）に摺動して出し入れ自在となっている。なお、ブラケット１１０については、図２を用いて構成を、図１１を用いてブラケット１１０への棚２００の取り付けについて後述する。
【００２６】
なお、物品保管庫１００の開口部１０３は正面のみならず、背面部１０５側にも有するようにしても良く、その場合は正面同様に背面部１０５は開閉自在の扉１０４を備える開口部１０３を有することとなり正面又は背面部１０５より収容具４００を出し入れすることができる。
【００２７】
図２に示すように、ブラケット１１０はＬ字形をしており、側面に物品保管庫１００の両側の側内壁面１０２に加工された複数のスリット１０６へ引っ掛けて取り付けるための取付部１１１が形成され、上面側にはネジ孔１１２を有する。
【００２８】
次に、棚２００の構成を図３〜図６を用いて説明する。
【００２９】
図３に示すように、棚２００は一対の枠部材２１０と、一対の枠部材２１０に略直交する方向に並列に所定間隔で配設される断面が略円形状の複数のパイプ部材２２０とを備えている。棚２００は複数のパイプ部材２２０の両端側を挿入孔２１４から一対の枠部材２１０内へ挿入することで形成されている。
【００３０】
次に、図４（ａ）、（ｂ）を用いて枠部材について説明する。
【００３１】
枠部材２１０は側面視において例えばリップ溝のような形状をしており、例えば厚さ１．５ミリメートルのステンレス製の板材を折り曲げて形成している。
【００３２】
その長手方向に沿った上面２１１、側面２１３ａ、側面２１３ｂ、この側面２１３ａ、２１３ｂと各々連続した下面２１５ａ、２１６ａ形成し、さらに下面２１５ａ、２１６ａと各々連続した縦壁２１５ｂ、２１６ｂを形成している。上面２１１から側面２１３ａへ連続する角の部分は、所定の曲面を形成したものとなる。
【００３３】
縦壁２１５ｂ、２１６ｂの各々は、離間して対向しており、この縦壁２１５ｂ、２１６ｂ間を前記したブラケット１１０が通過するようになっている。また、縦壁２１５ｂの上端部には、径方向の断面が略円形状のパイプ部材２２０の底面側の円弧の一部を受ける切欠２１７が設けられている。
【００３４】
なお、図４（ｂ）の状態において、縦壁２１５ｂ（切欠２１７）、２１６ｂの上端はパイプ部材２２０の支持部材となる。詳細は後述する。
【００３５】
側面２１３ａには複数の挿入孔２１４が設けられている。また上面２１１の両端側には物品保管庫１００の両側の側内壁面１０２へ取付けたブラケット１１０へネジにて固定するための取付孔２１２を設けている。なお、この枠部材２１０は、複数の挿入孔２１４が設けられている側面２１３ａを対向するように同一仕様のものを２個用いて一対の枠部材２１０とする。
【００３６】
次に、図５を用いてパイプ部材２２０の長手方向について、図６（ａ）〜（ｃ）を用いてパイプ部材２２０の径方向の断面形状について説明をする。
【００３７】
図５に示すように、パイプ部材２２０は、例えば厚み１ミリメートルで直径１３ミリメートルのステンレス製の径方向の断面が円形状のパイプを金型プレス加工により形成している。パイプ部材２２０は大きく分類して載置部２２１と挿入部２２３により構成され、載置部２２１は物品を載せる載置上端部２２２を有している。
【００３８】
挿入部２２３は挿入上端部２２４、挿入下端部２２５、挿入先端部２２６を有している。挿入先端部２２６を除く挿入部２２３と載置部２２１は略同一の断面形状を有しており、挿入上端部２２４と載置上端部２２２はパイプ部材２２０の両端側で下方向に、例えば３ミリメートルの段差２２７を形成し、載置部２２１から段差２２７へ連続する角の部分は所定の曲面を形成したものとなる。
【００３９】
図６（ａ）に示すように、載置部２２１の径方向の断面は略円形状であり上端に載置上端部２２２を有している。次に図６（ｂ）に示すように、挿入部２２３の断面は載置部２２１と同様に略円形状であり、さらに載置部２２１の径と挿入部２２３の径を略同一としている。
【００４０】
載置部２２１の径と挿入部２２３の径を略同一として径方向の断面の外周長を等しくすることで、枠部材２１０間のパイプ部材２２０の載置上端部２２２よりも両端側の挿入部２２３の挿入上端部２２４を下方向に下げて所定の段差２２７を設ける加工を金型プレス等により容易に行うことができるとともに、段差２２７の仕上がり寸法を均一にすることができる。さらに、パイプ部材２２０の長手方向の反り、変形を生じることがないので棚２００の組み立てを効率よく実施することができる。
【００４１】
そして図６（ｃ）に示すように、パイプ部材２２０の挿入先端部２２６は径方向の断面形状が底面２２６ａを有するいわゆる蒲鉾形となっている。挿入先端部２２６の下方にある水平方向の底面２２６ａは挿入部２２３の下側を金型プレスで加工したもので、挿入下端部２２５から上方に持ち上げられるように加工されている。また、挿入部２２３、挿入先端部２２６のいずれの径方向の断面の外周長はほぼ等しくなるよう加工されている。これにより挿入部２２３の長手方向の反り、および挿入先端部２２６の径方向の変形を生じることがないので棚２００の組み立てを効率よく実施することができる。
【００４２】
次に、図３、図７、図８（ａ）〜（ｃ）を用いて、枠部材２１０とパイプ部材２２０の組み立てについて説明する。
【００４３】
図７に示すように、組み立て治具３００は棚２００のパイプ部材２２０が延在する方向（パイプ部材２２０の長手方向）の一対の枠部材２１０の側面２１３ｂ間の寸法を内寸として、対向する側壁３０１を有する。この組み立て治具３００は上面３０２に枠部材２１０とパイプ部材２２０を載置して棚２００を組み立てるものである。
【００４４】
図８（ａ）に示すように、組み立て治具３００の上面３０２に一対の枠部材２１０の上面２１１が底面側となるように載置し、一対の枠部材２１０の挿入孔２１４が対向するように側面２１３ｂが側壁３０１に当接するよう配置する。また、一方の枠部材２１０の挿入孔２１４と同数のパイプ部材２２０を用意する。
【００４５】
組み立て治具３００の上面３０２に、一方の枠部材２１０の挿入孔２１４が斜め上方を向くように一方の枠部材２１０を傾斜させる。この状態としてパイプ部材２２０の一方の挿入部２２３を挿入孔２１４から一方の枠部材２１０内へ順次挿入する。
【００４６】
全数のパイプ部材２２０を一方の枠部材２１０内に挿入した後に、他方の枠部材２１０の挿入孔２１４が斜め上方を向くように枠部材２１０を傾斜させ、全数の挿入孔２１４にパイプ部材２２０の他方の挿入部２２３の先端を載置して一対の枠部材２１０の挿入孔２１４が対向する向きに回転させることにより、挿入部２２３を他方の枠部材２１０の挿入孔２１４から他方の枠部材２１０内に挿入する。
【００４７】
この後、図８（ｂ）に示すように、一対の枠部材２１０の側面２１３ｂを組み立て治具３００の対向する側壁３０１間に嵌め込み位置決めする。
【００４８】
図８（ｃ）に示すように、このとき一対の枠部材２１０の上面２１１とパイプ部材２２０の載置上端部２２２が組立治具３００の上面３０２に接した状態となる。この後の工程として枠部材２１０とパイプ部材２２０の挿入部２２３の溶接を行っていくが、この状態とすることで一対の枠部材２１０の上面２１１とパイプ部材２２０の載置上端部２２２が同一平面上に位置することの確認がしやすく、また、後述する溶接箇所が上方に向いているため溶接がしやすいという利点がある。
【００４９】
前記したように、組み立て治具３００上で一対の枠部材２１０と複数のパイプ部材２２０を組み立てた後、一例として棚２００の両端に位置する２本のパイプ部材２２０の挿入部２２３の各々と一対の枠部材２１０の各々を溶接にて固着する。
【００５０】
溶接箇所は図８（ｃ）に示す状態において、パイプ部材２２０の挿入下端部２２５と枠部材２１０の縦壁２１５ｂに設けられた切欠２１７の部分、および挿入先端部２２６の底面２２６ａと縦壁２１６ｂの２箇所を溶接する。この溶接により、複数のパイプ部材２２０を一対の枠部材２１０間に保持した状態の棚２００の完成品としてユニット化することができ、棚の生産、保管、および物品保管庫１００内への組み込みが容易となるとともに完成品としても棚２００全体の捻れのない形状の均一化、強度を向上させることができる。
【００５１】
また、パイプ部材２２０の挿入下端部２２５と枠部材２１０の縦壁２１５ｂに設けられた切欠２１７の部分、および挿入先端部２２６の底面２２６ａと縦壁２１６ｂの離れた位置の複数箇所で溶接して固着することによって、枠部材２１０の長手方向、および枠部材２１０長手方向と直行する方向の捩れ、撓みを防止することができ、全体として棚２００の強度を向上させることができる。
【００５２】
前記したように、一例として棚２００の両端に位置する２本のパイプ部材２２０の挿入部２２３の各々と一対の枠部材２１０の各々を溶接にて固着するようにしたが、これに限らず一対の枠部材２１０と複数のパイプ部材２２０の内いずれか一本とを溶接して固着してもよいし、さらには、一対の枠部材２１０と３本以上の複数のパイプ部材２２０とを溶接して固着してもよい。
【００５３】
これらいずれにおいても、複数のパイプ部材２２０を一対の枠部材２１０間に保持した状態の棚２００の完成品としてユニット化することができ、棚２００の生産、保管、および物品保管庫１００内への組み込みが容易となるともともに、完成品としても棚２００全体の捻れのない形状の均一化、強度を向上させることができる。
【００５４】
なお、一対の枠部材２１０と何本のパイプ部材２２０を溶接して固着するかは、複数のパイプ部材２２０、一対の枠部材２１０自体の強度、棚２００上に載置する物品の重量等から選択して決定すればよい。
【００５５】
また前記したように、一例としてパイプ部材２２０の挿入下端部２２５と枠部材２１０の縦壁２１５ｂに設けられた切欠２１７の部分、および挿入先端部２２６の底面２２６ａと縦壁２１６ｂの２箇所を溶接するようにしたが、これに限らず縦壁２１５ｂに設けられた切欠２１７の部分、または挿入先端部２２６の底面２２６ａと縦壁２１６ｂの一箇所の溶接であってもよい。枠部材２１０の長手方向、および枠部材２１０の長手方向と直交する方向の捩れや撓みを防止する点、全体として棚２００の強度を向上させる点で、離れた位置の複数箇所を溶接して固着することが好ましい。
【００５６】
また、一対の枠部材２１０は側面視において例えばリップ溝のような形状をしており、その長手方向に沿った上面２１１、側面２１３ａ、側面２１３ｂ、この側面２１３ａ、２１３ｂと各々連続した下面２１５ａ、２１６ａを形成し、さらに下面２１５ａ、２１６ａと各々連続した縦壁２１５ｂ、２１６ｂを形成している。
【００５７】
特に、下面２１５ａ、２１６ａと各々連続した縦壁２１５ｂ、２１６ｂを形成することによって、一対の枠部材２１０の長手方向、および長手方向と直行する方向の捩れ、撓みに対する強度を向上させることができる。なお、縦壁２１５ｂに形成した切欠２１７は、縦壁２１５ｂの高さ寸法をより大きくして前記した強度を向上させようとしたとき、複数のパイプ部材２２０の径方向の下面が当たらないようにするために設けたものであり必ずしも必要なものではない。
【００５８】
組み立て治具３００を用いて完成した棚２００を上下逆にして図３に示す姿とする。図３に示すような姿の棚２００では、両端以外に位置する複数のパイプ部材２２０は両端の挿入部２２３が一対の枠部材２１０に溶接されていないが、挿入部２２３を溶接されていないパイプ部材２２０は、挿入孔２１４から一対の枠部材２１０内へ挿入した時点でパイプ部材２２０の枠部材２１０に対する上下方向の移動とパイプ部材２２０の径方向の回動を規制することができる。したがって、物品を載置する全面が段差のない棚２００の組み立てを効率よく実施することができる。
【００５９】
次に、図９、図１０を用いて、前記一対の枠部材２１０に溶接されていないパイプ部材２２０の枠部材２１０に対する上下方向の移動とパイプ部材２２０の径方向の回動を規制している状態を説明する。
【００６０】
図９に示すように、枠部材２１０の挿入孔２１４から挿入したパイプ部材２２０の先端は側面２１３ｂの内壁に近接しており、例えばパイプ部材２２０の両端でパイプ部材２２０の先端と側面２１３ｂの内壁との距離は約１ミリメートルとしているため、パイプ部材２２０の長手方向の移動は規制されている。
【００６１】
また図１０（ａ）に示したように、挿入先端部２２６の底面２２６ａが枠部材２１０の縦壁２１６ｂの上端部へ当接しているとき、パイプ部材２２０の挿入上端部２２４は枠部材２１０の挿入孔２１４に若干の遊びをもって内接し上方と左右方向への移動を規制され、さらに、図１０（ｂ）に示したように、挿入先端部２２６は底面２２６ａが縦壁２１６ｂの上端部に当接していることによって下方への移動を規制されている。なお一例として、パイプ部材２２０の挿入部２２３の直径を略１３ミリメートル、挿入孔２１４の直径を略１５ミリメートルとし、挿入部２２３の中心位置は挿入孔２１４の中心位置に対して上方にずらした状態としている。これによって挿入部２２３、挿入先端部２２６の直径に対して挿入孔２１４の直径を、余裕をもった大きさとし、棚の組み立て時において挿入部２２３の枠部材２１０への挿入を容易に行うことができる。
【００６２】
そして、パイプ部材２２０の挿入先端部２２６の底面２２６ａが枠部材２１０の縦壁２１６ｂの上端部へ当接されることで、パイプ部材２２０の径方向の回動が規制されている。このようにしてパイプ部材２２０を挿入孔２１４から一対の枠部材２１０内へ挿入しただけで、長さ方向と上下左右方向の移動と径方向の回動が規制されているものである。
【００６３】
また、従来は枠部材２１０へパイプ部材２２０を固定するために固定部材を必要としていた。例えば特許文献１では、棚の両端に位置する固定用パイプには両端部に切欠部が形成され、固定部材を切欠部へ嵌合させて棚フレームとネジにて固定することにより固定用パイプを固定していた。また特許文献２では、長尺状枠部材の内部に固定部材を設けて挿入したパイプ部材を固着しており、固着する具体的な方法や位置は明記されていないが、固定部材を必要としていた。
【００６４】
しかし本発明では固定部材を不要とし、少なくとも１本のパイプ部材２２０の両端を一対の枠部材２１０と溶接し残りのパイプ部材２２０は挿入された状態で長手方向と上下左右方向の移動と径方向の回動を規制することができるため、部品点数が少なく構成が簡素化し、組立作業も容易となる。
【００６５】
なお、パイプ部材２２０の挿入先端部２２６の断面形状は底面２２６ａを有するいわゆる蒲鉾形に限定されるものではなく、例えば挿入先端部２２６の断面形状を略円形状から垂直方向に潰した楕円形でも良い。挿入先端部２２６を楕円形に潰した場合は、楕円の下端が枠部材２１０の縦壁２１６ａの上端部へ当接され下方向の移動と径方向の回動が抑制される。また、挿入先端部２２６の底面２２６ａに凸部２点を形成しこれを縦壁２１６ｂの上端部に当接させてもよい。
【００６６】
次に、図１１を用いて組み立てられた棚２００（図３に示す状態）の物品保管庫１００への取り付けを説明する。
【００６７】
図１１に示すように、組み立てられた棚２００は物品保管庫１００へ取り付けられる。物品保管庫１００の両側の側内壁面１０２には開口部１０３側と背面部１０５側に水平方向の複数のスリット１０６が垂直方向に等間隔に加工されており、ブラケット１１０は複数のスリット１０６へ同一水平面上に位置するように掛けて取り付けられて、棚２００の一対の枠部材２１０の両端である４点をそれらブラケット１１０の上へ載置し棚２００の長孔である取付孔２１２の上方からブラケット１１０のネジ孔１１２へネジを通して固定する。取付孔２１２は長孔であるため、ネジを通す際に容易に固定することができる。
【００６８】
その際、棚２００には枠部材２１０の縦壁２１５ｂ、２１６ｂの間にブラケット１１０が通るだけの隙間があるため、棚２００は組み立てた状態で物品保管庫１００のブラケット１１０へと載置することができる。
【００６９】
なお、棚２００の固定はブラケットに限らず他の方法で棚２００を支持し固定するようにしても良く、例えばワイヤーにて棚２００を上から吊るす等の方法がある。
【００７０】
また、棚２００はブラケット１１０へネジにて固定されることに限定されるものではなく、同一水平面上に位置するよう掛けて取り付けられたブラケット１１０の上へ載置するだけでも良い。その場合は棚２００の取り付け取り外しが容易となり、物品保管庫１００が完成した後でも棚２００を取り外してブラケット１１０の位置を調整し棚２００を再度載置することが容易にできるので棚２００の高さを簡単に変更することができる。加えて、同様の方法で棚２００の数も容易に変更することができる。しかし製造を終えた物品保管庫１００の運搬中に棚２００が落下したり、棚２００へ下方より衝撃を加えたり持ち上げることで簡単に物品保管庫１００から棚２００が脱落するおそれがあるため、棚２００はブラケット１１０へネジにて固定するのが好ましい。
【００７１】
なお、前記したように、一対の枠部材２１０に少なくとも一本のパイプ部材２２０を溶接するようしたが、複数のパイプ部材２２０の全てを一対の枠部材２１０に溶接しないまま棚２００を物品保管庫１００へ取り付けてもよい。
【００７２】
その際には棚２００を組み立てる際、組立治具３００に配置する枠部材２１０は上面２１１が上方に向いた状態にて挿入孔２１４が対向するようにして、側面２１３ｂが組立治具３００の側壁３０１に当接するように配置し、一方の枠部材２１０の挿入孔２１４と同数のパイプ部材２２０を挿入していき、挿入を終えたらもう他方の枠部材２１０の挿入孔２１４へ挿入していく。挿入するパイプ部材２２０は載置上端部２２２を上方とする。
【００７３】
このとき枠部材２１０の上面２１１とパイプ部材２２０の載置上端部２２２が略同一平面上に位置する。パイプ部材２２０を挿入し終えた棚２００は形状を維持するように支えながら、一対の枠部材２１０を物品保管庫１００の側内壁面１０２に取り付けたブラケット１１０へ載置しネジにて固定すればよい。これによって、複数のパイプ部材２２０を一対の枠部材２１０間に保持した状態の棚２００の完成品として物品保管庫１００内でユニット化することができる。
【００７４】
次に図１２を用いて、物品保管庫１００へ保管する物品の例としての収容具４００について説明する。
【００７５】
図１２に示すように収容具４００は、例えば直径３ミリメートルのステンレス線材を溶接することにより構成される食器類を収容するカゴである。収容具４００の上面は食器収容部４０１へと食器を収容する開口を有し、側面と底面は収容された食器類の飛び出しを規制するよう線材が格子状に組まれ、側面の上部には少なくとも２つの取手４０２が設けられている。底面の最も外側には下枠４０３により構成されており、収容具４００を棚２００へ載置した際には下枠４０３が枠部材２１０の上面２１１及びパイプ部材２２０の載置上端部２２２に接する。
【００７６】
また、収容具４００は直径３ミリメートルのステンレス線材に限定するものではなく、線材の直径を変化させても良いし、パンチングメタル等により製作された函でも良い。
【００７７】
次に図１３（ａ）〜（ｄ）を用いて物品保管庫１００内への収容具４００の載置から収容、保管、取出しまでを説明する。なお各図面中の太矢印は収容具４００の移動方向を示し、図右側は収容室１０１の開口部１０３側とし、図左側は収容室１０１の背面部１０５側とする。
【００７８】
図１３（ａ）に示すように、収容具４００はまず棚２００の枠部材２１０とパイプ部材２２０の両方、もしくは枠部材２１０の上に載置される。
【００７９】
収容具４００は線材を組み合わせて構成されているため、下枠４０３はいずれかの方向に平行に線材が配置されている場合がある。下枠４０３をパイプ部材２２０と平行にして載置した場合は、パイプ部材２２０の間に下枠４０３が入り込むため、通常は下枠４０３とパイプ部材２２０は直交の方向にて載置、摺動させる。
【００８０】
図１３（ｂ）に示すように、枠部材２１０とパイプ部材２２０の両方、もしくは枠部材２１０の上に載置された収容具４００は、枠部材２１０とパイプ部材２２０の境目に段差や傾斜がないため引っかかりなく、パイプ部材２２０の上を背面部１０５の方向へ容易に摺動することができる。
【００８１】
図１３（ｃ）に示すように、複数の収容具４００が物品保管庫１００へ収容される。収容具４００は物品保管庫１００の背面部１０５側に位置する枠部材２１０の上に収容することができるため、収容室１０１を広く使うことができる。背面部１０５側の枠部材２１０の上へ収容具４００が摺動する際にも、枠部材２１０とパイプ部材２２０の境目に段差や傾斜がないため引っかかりなく容易に摺動させることができる。
【００８２】
図１３（ｄ）に示すように、収容具４００は枠部材２１０とパイプ部材２２０の両方に載置され取り出される。取り出しの際にも収容具４００は枠部材２１０とパイプ部材２２０の境目に段差や傾斜がないので引っかかりなく摺動し棚２００上において略水平の姿勢のままスムーズに取り出される。
【００８３】
なお、実施形態に示した各部材の形や寸法はそれらに限定されるものではなく、異なる形状や寸法でも良い。
【００８４】
また、実施形態に示した溶接の加工は固着の代表例であり溶接に限定するものではなく、接着剤等による接着やネジ止め等の機械的接合を用いても良い。ネジ止めによる機械的接合をする場合は、一例として枠部材２１０の下部よりパイプ部材２２０へ貫通孔を施し、ネジにて下方から枠部材２１０とパイプ部材２２０を固定する方法がある。その際には例えば六角孔付き皿ネジを使用すると枠部材２１０からのネジ頭の出っ張りもなく、指でネジ頭を触った場合にも安全である。
【００８５】
従来は、磁器製、金属製からなる重い食器、枚数の多いトレイを収容する物品である収容具４００は重量があり、学校で喫食される給食では生徒や教師、病院等で喫食される給食では患者や看護師等が物品保管庫１００から出し入れしていた。棚２００のパイプ部材２２０と枠部材２１０の形成する段差は、彼らに重量のある収容具４００を持ち上げて引っかかりがありつつも出し入れしなくてはいけないという負担を強いていた。
【００８６】
本発明では、物品保管庫１００からの出し入れの際に物品である収容具４００はスムーズに摺動し、重量のある収容具４００でもひっかかることなく出し入れが可能となる。また収容具４００は略水平のまま出し入れすることができるので、収容具４００の耐久性を向上させることができる。
【産業上の利用可能性】
【００８７】
喫食関係用の物品保管庫に限らず、例えば物流倉庫の物品保管庫にも適用できる。また、物品を載置する棚として広く応用展開することができる。
【符号の説明】
【００８８】
１００  物品保管庫
１０１  収容室
１０２  側内壁面
１０３  開口部
１０４  扉
１０５  背面部
１０６  スリット
１１０  ブラケット
１１１  取付部
１１２  ネジ孔
２００  棚
２１０  枠部材
２１１  上面
２１２  取付孔
２１３ａ  側面
２１３ｂ  側面
２１４  挿入孔
２１５ａ  下面
２１５ｂ  縦壁（支持部材）
２１６ａ  下面
２１６ｂ  縦壁（支持部材）
２１７  切欠
２２０  パイプ部材
２２１  載置部
２２２  載置上端部
２２３  挿入部
２２４  挿入上端部
２２５  挿入下端部
２２６  挿入先端部
２２６ａ  底面
２２７  段差
３００  組立治具
３０１  側壁
３０２  上面
４００  収容具（物品）
４０１  食器収容部
４０２  取手
４０３  下枠
【図１】
0006647750.tif 000002
【図２】
0006647750.tif 000003
【図３】
0006647750.tif 000004
【図４】
0006647750.tif 000005
【図５】
0006647750.tif 000006
【図６】
0006647750.tif 000007
【図７】
0006647750.tif 000008
【図８】
0006647750.tif 000009
【図９】
0006647750.tif 000010
【図１０】
0006647750.tif 000011
【図１１】
0006647750.tif 000012
【図１２】
0006647750.tif 000013
【図１３】
0006647750.tif 000014